【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
加入者が利用する複数の通信端末と、
加入者情報及び課金情報を加入者毎に管理する加入者情報管理手段と、
１又は複数の監視回線の帯域利用状況を監視する帯域監視手段と、
上記帯域監視手段による上記監視回線のいずれかの帯域利用状況が閾値を超えた場合に、上記加入者情報管理手段が管理する上記加入者の上記通信端末の全部又は一部に対して、上記監視回線の帯域利用状況が繁忙状態であり、回線継続利用には追加課金が必要であることを示す状態遷移情報を通知する通知手段と、
上記通知手段が上記状態遷移情報を送信した上記各通信端末から確認応答を管理する確認応答管理手段と、
上記確認応答管理手段による上記確認応答から追加課金を承認するか否かに応じて、上記各通信端末の通信トラフィックを制約するか否かを行う制約手段と、
上記確認応答管理手段による上記確認応答から追加課金を承認する場合に、追加課金期間における上記各通信端末の通信トラフィックの追加課金を行い、当該加入者の課金情報を上記加入者管理手段に記憶する課金手段と
を備えることを特徴とする通信システム。
【請求項２】
上記制約手段が、上記確認応答から追加課金を承認しない加入者の上記通信端末の通信トラフィックを遮断し、追加課金を承認する加入者の上記通信端末の通信トラフィックを通過することを特徴とする請求項１に記載の通信システム。
【請求項３】
上記加入者情報管理手段が、上記監視回線の帯域利用状況が繁忙状態の場合に、追加課金を行うか否かの事前承認情報を各加入者毎に事前に設定しておき、
上記加入者情報管理手段を参照して当該加入者の事前承認情報が事前に設定されている場合には、上記承認情報の受信の有無に拘わらず、上記制約手段は上記各通信端末の通信トラフィックを通過し、上記課金手段が当該加入者の追加課金を行うことを特徴とする請求項１又は２に記載の通信システム。
【請求項４】
上記監視回線の帯域利用状態が繁忙状態の場合、上記閾値を超えていない１又は複数の監視回線のうちいずれかの監視回線を選択し、この選択した監視回線を迂回回線とする迂回回線制御手段を備えることを特徴とする請求項１〜３のいずれかに記載の通信システム。
【請求項５】
上記各通信端末の通信トラフィックに係るパケット情報を取得するパケット情報取得手段と、
上記パケット情報取得手段が取得した上記各通信トラフィックの種別に応じて、当該通信トラフィックの中継時期の制御を行う中継制御手段と
を備えることを特徴とする請求項１〜４のいずれかに記載の通信システム。
【請求項６】
加入者が利用する複数の通信端末と、
加入者情報及び課金情報を加入者毎に管理する加入者情報管理手段とを備える通信システムの通信方法において、
帯域監視手段が、１又は複数の監視回線の帯域利用状況を監視する帯域監視工程と、
通知手段が、上記帯域管理手段による上記監視回線のいずれかの帯域利用状況が閾値を超えた場合に、上記加入者情報管理手段が管理する上記加入者の上記通信端末の全部又は一部に対して、上記監視回線の帯域利用状況が繁忙状態であり、回線継続利用には追加課金が必要であることを示す状態遷移情報を通知する通知工程と、
確認応答管理手段が、上記通知手段が上記状態遷移情報を送信した上記各通信端末から確認応答を管理する確認応答管理工程と、
制約手段が、上記確認応答管理手段による上記確認応答から追加課金を承認するか否かに応じて、上記各通信端末の通信トラフィックを制約するか否かを行う制約手段と、
課金手段が、上記確認応答管理手段による上記確認応答から追加課金を承認する場合に、追加課金期間における上記各通信端末の通信トラフィックの追加課金を行い、当該加入者の課金情報を上記加入者管理手段に記憶する課金工程と
を有することを特徴とする通信方法。
【請求項７】
加入者が利用する複数の通信端末からのトラフィックを中継する中継装置において、
加入者情報及び課金情報を加入者毎に管理する加入者情報管理手段と、
１又は複数の監視回線の帯域利用状況を監視する帯域監視手段と、
上記帯域監視手段による上記監視回線のいずれかの帯域利用状況が閾値を超えた場合に、上記加入者情報管理手段が管理する上記加入者の上記通信端末の全部又は一部に対して、上記監視回線の帯域利用状況が繁忙状態であり、回線継続利用には追加課金が必要であることを示す状態遷移情報を通知する通知手段と、
上記通知手段が上記状態遷移情報を送信した上記各通信端末から確認応答を管理する確認応答管理手段と、
上記確認応答管理手段による上記確認応答から追加課金を承認するか否かに応じて、上記各通信端末の通信トラフィックを制約するか否かを行う制約手段と、
上記確認応答管理手段による上記確認応答から追加課金を承認する場合に、追加課金期間における上記各通信端末の通信トラフィックの追加課金を行い、当該加入者の課金情報を上記加入者管理手段に記憶する課金手段と
を備えることを特徴とする中継装置。
【請求項８】
加入者が利用する複数の通信端末からのトラフィックを中継する中継装置が、加入者情報及び課金情報を加入者毎に管理する加入者情報管理手段を備え、
上記中継装置を、
１又は複数の監視回線の帯域利用状況を監視する帯域監視手段、
上記帯域監視手段による上記監視回線のいずれかの帯域利用状況が閾値を超えた場合に、上記加入者情報管理手段が管理する上記加入者の上記通信端末の全部又は一部に対して、上記監視回線の帯域利用状況が繁忙状態であり、回線継続利用には追加課金が必要であることを示す状態遷移情報を通知する通知手段、
上記通知手段が上記状態遷移情報を送信した上記各通信端末から確認応答を管理する確認応答管理手段、
上記確認応答管理手段による上記確認応答から追加課金を承認するか否かに応じて、上記各通信端末の通信トラフィックを制約するか否かを行う制約手段、
上記確認応答管理手段による上記確認応答から追加課金を承認する場合に、追加課金期間における上記各通信端末の通信トラフィックの追加課金を行い、当該加入者の課金情報を上記加入者管理手段に記憶する課金手段
として機能させることを特徴とする中継プログラム。
【請求項９】
請求項７に記載の中継装置を介して通信を行う通信端末において、
上記中継装置の監視する監視回線のいずれかの帯域利用状況が閾値を超えた場合に、上記監視回線の帯域利用状況が繁忙状態であり、回線継続利用には追加課金が必要であることを示す状態遷移情報を上記中継装置から受信したとき、追加課金を承認するか又は承認しないかの確認応答を、上記中継装置に送信する通信手段を備えることを特徴とする通信端末。
【請求項１０】
上記通信手段が、上記確認応答以外のパケット送信を停止すると共に、上記監視回線の帯域利用状況が閾値を下回り通常状態となったことを示す状態遷移情報を上記中継装置から受信したときに、この送信停止状態を解除することを特徴とする請求項９に記載の通信端末。
【請求項１１】
請求項７に記載の中継装置を介して通信を行う通信端末を、
上記中継装置の監視する監視回線のいずれかの帯域利用状況が閾値を超えた場合に、上記監視回線の帯域利用状況が繁忙状態であり、回線継続利用には追加課金が必要であることを示す状態遷移情報を上記中継装置から受信したとき、追加課金を承認するか又は承認しないかの確認応答を、上記中継装置に送信する通信手段として機能させることを特徴とする端末プログラム。
【請求項１２】
上記通信端末の通信手段として、上記確認応答以外のパケット送信を停止すると共に、上記監視回線の帯域利用状況が閾値を下回り通常状態となったことを示す状態遷移情報を上記中継装置から受信したときに、この送信停止状態を解除するよう機能させることを特徴とする請求項１１に記載の端末プログラム。